(57)【要約】【課題】コモンモードチョークコイルを備える回転電機の低コスト化を図る。【解決手段】本実施形態の回転電機は、ブラシホルダ４８と、ブラシホルダ４８に載置された一対のブラシ５０，５２と、一対のブラシ５０，５２と電気的に接続されるコモンモードチョークコイル６０とを備える。コモンモードチョークコイル６０は、第一巻線７０及び第一コア７２を有する第一チョークコイル６２と、第二巻線７４及び第二コア７６を有する第二チョークコイル６４と、第一コア７２及び第二コア７６と別体とされると共に第一コア７２及び第二コア７６の長さ方向両側の端部同士を連結する一対の橋絡コアと６６，６８とを備える。【選択図】図２
2017028788.tif 000002
【特許請求の範囲】
【請求項１】
整流子を有する電機子と、
前記整流子に摺接される一対のブラシと、
前記一対のブラシの一方と電気的に接続され、コイル状に形成された第一巻線と、前記第一巻線の内側に挿入された第一コアとを有する第一チョークコイルと、
前記一対のブラシの他方と電気的に接続され、コイル状に形成された第二巻線と、前記第二巻線の内側に挿入された第二コアとを有し、前記第一チョークコイルと並列に配置された第二チョークコイルと、
前記第一コア及び前記第二コアと別体とされ、前記第一コア及び前記第二コアの長さ方向両側の端部同士を連結すると共に、前記第一チョークコイル及び前記第二チョークコイルとでコモンモードチョークコイルを構成する一対の橋絡コアと、
を備える回転電機。
【請求項２】
前記一対のブラシが載置されるブラシホルダと、
前記ブラシホルダに形成され、前記第一チョークコイル、前記第二チョークコイル、及び、前記一対の橋絡コアをそれぞれ位置決めするガイド部と、
をさらに備える、
請求項１に記載の回転電機。
【請求項３】
前記一対の橋絡コアは、前記第一コア及び前記第二コアの長さ方向両側の端面にそれぞれ当接され、
前記ガイド部は、
前記第一チョークコイル及び前記第二チョークコイルの間に配置され、前記第一チョークコイル及び前記第二チョークコイルの軸方向に沿って延びる中間壁と、
前記第一チョークコイルに対する前記中間壁と反対側に配置され、前記第一チョークコイルの軸方向に沿って延びる第一コイル支持壁と、
前記第二チョークコイルに対する前記中間壁と反対側に配置され、前記第二チョークコイルの軸方向に沿って延びる第二コイル支持壁と、
前記一対の橋絡コアが並ぶ方向における前記一対の橋絡コアを挟んだ両側に配置され、それぞれ前記一対の橋絡コアの長さ方向に延びる一対のコア支持壁と、
前記一対の橋絡コアのうち一方の橋絡コアの長さ方向両側の端面とそれぞれ対向する一対の第一コア位置決め壁と、
前記一対の橋絡コアのうち他方の橋絡コアの長さ方向両側の端面とそれぞれ対向する一対の第二コア位置決め壁と、
を有する、
請求項２に記載の回転電機。
【請求項４】
前記第一巻線の一端は、前記第一コイル支持壁と一方の前記第一コア位置決め壁との間の隙間に挿入され、
前記第一巻線の他端は、前記第一コイル支持壁と一方の前記第二コア位置決め壁との間の隙間に挿入され、
前記第二巻線の一端は、前記第二コイル支持壁と他方の前記第一コア位置決め壁との間の隙間に挿入され、
前記第二巻線の他端は、前記第二コイル支持壁と他方の前記第二コア位置決め壁との間の隙間に挿入されている、
請求項３に記載の回転電機。
【請求項５】
コイル状に形成された第一巻線と、前記第一巻線の内側に挿入された第一コアとを有する第一チョークコイルと、
コイル状に形成された第二巻線と、前記第二巻線の内側に挿入された第二コアとを有し、前記第一チョークコイルと並列に配置された第二チョークコイルと、
前記第一コア及び前記第二コアと別体とされ、前記第一コア及び前記第二コアの長さ方向両側の端部同士を連結する一対の橋絡コアと、
を備えるコモンモードチョークコイル。
【発明の詳細な説明】
【技術分野】
【０００１】
本発明は、回転電機及びコモンモードチョークコイルに関する。
【背景技術】
【０００２】
従来、整流子を有する電機子と、整流子に摺接される一対のブラシとを備える回転電機がある。また、この種の回転電機では、ＥＭＣノイズのうちのコモンモードノイズを低減させるために、一対のブラシにコモンモードチョークコイルが電気的に接続される場合がある（例えば、特許文献１参照）。
【先行技術文献】
【特許文献】
【０００３】
【特許文献１】特開２０１０−５１０４４号公報
【発明の概要】
【発明が解決しようとする課題】
【０００４】
しかしながら、コモンモードチョークコイルは、一般に部品単価が高いため、コモンモードチョークコイルを回転電機に採用すると、回転電機のコストアップとなる。
【０００５】
本発明は、上記課題に鑑みてなされたものであって、その目的は、コモンモードチョークコイルを備える回転電機の低コスト化を図ること、及び、コモンモードチョークコイルの部品単価を低減することにある。
【課題を解決するための手段】
【０００６】
前記目的を達成するために、請求項１に記載の回転電機は、整流子を有する電機子と、前記整流子に摺接される一対のブラシと、前記一対のブラシの一方と電気的に接続され、コイル状に形成された第一巻線と、前記第一巻線の内側に挿入された第一コアとを有する第一チョークコイルと、前記一対のブラシの他方と電気的に接続され、コイル状に形成された第二巻線と、前記第二巻線の内側に挿入された第二コアとを有し、前記第一チョークコイルと並列に配置された第二チョークコイルと、前記第一コア及び前記第二コアと別体とされ、前記第一コア及び前記第二コアの長さ方向両側の端部同士を連結すると共に、前記第一チョークコイル及び前記第二チョークコイルとでコモンモードチョークコイルを構成する一対の橋絡コアと、を備える。
【０００７】
この回転電機によれば、コモンモードチョークコイルは、第一チョークコイルと、第二チョークコイルと、一対の橋絡コアによって構成されている。したがって、第一チョークコイル及び第二チョークコイルには、従来の一般的なチョークコイルを使用でき、この第一チョークコイル及び第二チョークコイルに一対の橋絡コアを追加するだけでコモンモードチョークコイルを構成することができるので、コモンモードチョークコイルの部品単価を低減することができる。これにより、コモンモードチョークコイルを備える回転電機の低コスト化を図ることができる。
【０００８】
請求項２に記載の回転電機は、請求項１に記載の回転電機において、前記一対のブラシが載置されるブラシホルダと、前記ブラシホルダに形成され、前記第一チョークコイル、前記第二チョークコイル、及び、前記一対の橋絡コアをそれぞれ位置決めするガイド部と、をさらに備える。
【０００９】
この回転電機によれば、ブラシホルダには、第一チョークコイル、第二チョークコイル、及び、一対の橋絡コアをそれぞれ位置決めするガイド部が形成されている。したがって、第一チョークコイル、第二チョークコイル、及び、一対の橋絡コアが互いに別体とされていても、第一チョークコイル、第二チョークコイル、及び、一対の橋絡コアが離間されること（動いてしまうこと）を抑制することができるので、コモンモードチョークコイルの形態を安定して保つことができる。
【００１０】
請求項３に記載の回転電機は、請求項２に記載の回転電機において、前記一対の橋絡コアが、前記第一コア及び前記第二コアの長さ方向両側の端面にそれぞれ当接され、前記ガイド部が、  前記第一チョークコイル及び前記第二チョークコイルの間に配置され、前記第一チョークコイル及び前記第二チョークコイルの軸方向に沿って延びる中間壁と、前記第一チョークコイルに対する前記中間壁と反対側に配置され、前記第一チョークコイルの軸方向に沿って延びる第一コイル支持壁と、前記第二チョークコイルに対する前記中間壁と反対側に配置され、前記第二チョークコイルの軸方向に沿って延びる第二コイル支持壁と、前記一対の橋絡コアが並ぶ方向における前記一対の橋絡コアを挟んだ両側に配置され、それぞれ前記一対の橋絡コアの長さ方向に延びる一対のコア支持壁と、前記一対の橋絡コアのうち一方の橋絡コアの長さ方向両側の端面とそれぞれ対向する一対の第一コア位置決め壁と、前記一対の橋絡コアのうち他方の橋絡コアの長さ方向両側の端面とそれぞれ対向する一対の第二コア位置決め壁と、を有するものである。
【００１１】
この回転電機によれば、ガイド部は、中間壁と、第一コイル支持壁と、第二コイル支持壁と、一対のコア支持壁と、一対の第一コア位置決め壁と、一対の第二コア位置決め壁とを有する。したがって、第一チョークコイル、第二チョークコイル、及び、一対の橋絡コアを簡単な構成で適切に位置決めすることができる。
【００１２】
請求項４に記載の回転電機は、請求項３に記載の回転電機において、前記第一巻線の一端が、前記第一コイル支持壁と一方の前記第一コア位置決め壁との間の隙間に挿入され、前記第一巻線の他端が、前記第一コイル支持壁と一方の前記第二コア位置決め壁との間の隙間に挿入され、前記第二巻線の一端が、前記第二コイル支持壁と他方の前記第一コア位置決め壁との間の隙間に挿入され、前記第二巻線の他端が、前記第二コイル支持壁と他方の前記第二コア位置決め壁との間の隙間に挿入されたものである。
【００１３】
この回転電機によれば、第一巻線の一端は、第一コイル支持壁と一方の第一コア位置決め壁との間の隙間に挿入され、第一巻線の他端は、第一コイル支持壁と一方の第二コア位置決め壁との間の隙間に挿入されている。同様に、第二巻線の一端は、第二コイル支持壁と他方の第一コア位置決め壁との間の隙間に挿入され、第二巻線の他端は、第二コイル支持壁と他方の第二コア位置決め壁との間の隙間に挿入されている。これにより、第一チョークコイル、第二チョークコイル、及び、一対の橋絡コアを位置決めした状態でも、第一巻線の一端と一方のブラシとの電気的な接続、及び、第二巻線の一端と他方のブラシとの電気的な接続をそれぞれ確保することができる。また、例えば、第一巻線の他端とコネクタ端子との電気的な接続、及び、第二巻線の他端とコネクタ端子との電気的な接続をそれぞれ確保することができる。
【００１４】
また、前記目的を達成するために、請求項１に記載のコモンモードチョークコイルは、コイル状に形成された第一巻線と、前記第一巻線の内側に挿入された第一コアとを有する第一チョークコイルと、コイル状に形成された第二巻線と、前記第二巻線の内側に挿入された第二コアとを有し、前記第一チョークコイルと並列に配置された第二チョークコイルと、前記第一コア及び前記第二コアと別体とされ、前記第一コア及び前記第二コアの長さ方向両側の端部同士を連結する一対の橋絡コアと、を備える。
【００１５】
このコモンモードチョークコイルによれば、第一チョークコイルと、第二チョークコイルと、一対の橋絡コアによって構成されている。したがって、第一チョークコイル及び第二チョークコイルには、従来の一般的なチョークコイルを使用でき、この第一チョークコイル及び第二チョークコイルに一対の橋絡コアを追加するだけでコモンモードチョークコイルを構成することができるので、コモンモードチョークコイルの部品単価を低減することができる。
【図面の簡単な説明】
【００１６】
【図１】本発明の一実施形態に係る回転電機の縦断面図である。
【図２】図１に示されるブラシ装置の平面図である。
【図３】図２に示される第一チョークコイルの平面図である。
【図４】図２に示されるブラシホルダの平面図である。
【発明を実施するための形態】
【００１７】
以下、本発明の一実施形態について説明する。
【００１８】
図１に示されるように、本発明の一実施形態に係る回転電機１０は、ブラシ付き直流モータとして構成されており、ヨーク１２と、エンドハウジング１４と、磁石１６と、電機子１８と、ブラシ装置２０とを備える。
【００１９】
ヨーク１２は、外筒部２２と、天壁部２４とを有する有天円筒状に形成されている。外筒部２２の内周面には、磁石１６が固着されている。天壁部２４の中央部には、凹状の軸受収容部２６が形成されており、この軸受収容部２６には、軸受２８が収容されている。
【００２０】
エンドハウジング１４は、円盤状に形成されており、ヨーク１２の開口部に組み付けられている。エンドハウジング１４の中央部には、凹状の軸受収容部３０が形成されており、この軸受収容部３０には、軸受３２が収容されている。
【００２１】
電機子１８は、シャフト３４と、コア３６と、整流子３８と、巻線４０とを有する。シャフト３４は、一対の軸受２８，３２に回転可能に支持されており、コア３６及び整流子３８は、シャフト３４に固定されている。コア３６には、複数のティース４２がシャフト３４を中心に放射状に形成されており、巻線４０は、複数のティース４２に巻回されている。整流子３８には、複数のセグメント４４が形成されており、各セグメント４４に形成された係止部４６には、巻線４０が結線されている。
【００２２】
ブラシ装置２０は、ヨーク１２及びエンドハウジング１４によって構成されたモータハウジングの内側に収容され、エンドハウジング１４に組み付けられている。図２に示されるように、ブラシ装置２０は、ブラシホルダ４８と、一対のブラシ５０，５２と、コモンモードチョークコイル６０とを有する。
【００２３】
ブラシホルダ４８は、円板状に形成されている。このブラシホルダ４８の中央部には、孔５４が形成されている（図４も参照）。一対のブラシ５０，５２は、ブラシホルダ４８に載置されており、互いにブラシホルダ４８の周方向に間隔を空けて配置されている。この一対のブラシ５０，５２は、ブラシホルダ４８の径方向を軸方向として配置されている。ブラシホルダ４８の孔５４には、整流子３８が挿入され、一対のブラシ５０，５２は、整流子３８に摺接される（図１参照）。
【００２４】
コモンモードチョークコイル６０は、第一チョークコイル６２と、第二チョークコイル６４と、一対の橋絡コア６６，６８によって構成されている。
【００２５】
第一チョークコイル６２は、コイル状に形成された第一巻線７０と、この第一巻線７０の内側に挿入された長尺直方体状の第一コア７２とを有する（図３も参照）。同様に、第二チョークコイル６４は、コイル状に形成された第二巻線７４と、この第二巻線７４の内側に挿入された長尺直方体状の第二コア７６とを有する。この第一チョークコイル６２及び第二チョークコイル６４は、互いに並列に配置されている。また、この第一チョークコイル６２及び第二チョークコイル６４は、ブラシホルダ４８の径方向（Ｘ方向）に沿って配置されている。
【００２６】
一対の橋絡コア６６，６８は、第一コア７２及び第二コア７６とは別体とされており、それぞれ長尺直方体状に形成されている。この一対の橋絡コア６６，６８は、第一チョークコイル６２及び第二チョークコイル６４が並ぶ方向（Ｙ方向）を長さ方向としてそれぞれ配置されている。
【００２７】
また、一対の橋絡コア６６，６８は、第一コア７２及び第二コア７６に対する長さ方向（Ｘ方向）の両側にそれぞれ配置されている。一方の橋絡コア６６は、第一コア７２及び第二コア７６に対する長さ方向の一方側から、第一コア７２及び第二コア７６の長さ方向一方側の端面７２Ａ，７６Ａにそれぞれ当接されている。同様に、他方の橋絡コア６８は、第一コア７２及び第二コア７６に対する長さ方向の他方側から、第一コア７２及び第二コア７６の長さ方向他方側の端面７２Ｂ，７６Ｂにそれぞれ当接されている。
【００２８】
そして、このようにして、一対の橋絡コア６６，６８が、第一コア７２及び第二コア７６の長さ方向両側の端面７２Ａ，７２Ｂ，７６Ａ，７６Ｂにそれぞれ当接されることにより、一対の橋絡コア６６，６８は、第一コア７２及び第二コア７６の長さ方向両側の端部同士を連結している。
【００２９】
ブラシホルダ４８には、上述の第一チョークコイル６２、第二チョークコイル６４、及び、一対の橋絡コア６６，６８をそれぞれ位置決めするガイド部８０が形成されている。図４に示されるように、ガイド部８０は、中間壁８２と、第一コイル支持壁８４と、第二コイル支持壁８６と、一対のコア支持壁８８，９０と、一対の第一コア位置決め壁９２，９４と、一対の第二コア位置決め壁９６，９８とを有する。
【００３０】
中間壁８２、第一コイル支持壁８４、及び、第二コイル支持壁８６は、ブラシホルダ４８の径方向（Ｘ方向）に沿って延びており、互いに並列に配置されている。中間壁８２は、第一コイル支持壁８４及び第二コイル支持壁８６の間に配置されている。
【００３１】
一対のコア支持壁８８，９０は、中間壁８２、第一コイル支持壁８４、及び、第二コイル支持壁８６に対する長さ方向（Ｘ方向）の両側に配置されており、中間壁８２、第一コイル支持壁８４、及び、第二コイル支持壁８６が並ぶ方向（Ｙ方向）を長さ方向として形成されている。
【００３２】
一対の第一コア位置決め壁９２，９４は、一方のコア支持壁８８の長さ方向両側の端部から他方のコア支持壁９０の側に向けて突出されており、一対の第二コア位置決め壁９６，９８は、他方のコア支持壁９０の長さ方向両側の端部から一方のコア支持壁８８の側に向けて突出されている。
【００３３】
また、第一コイル支持壁８４と一方の第一コア位置決め壁９２との間には、隙間１００が形成され、第一コイル支持壁８４と一方の第二コア位置決め壁９６との間には、隙間１０２が形成されている。同様に、第二コイル支持壁８６と他方の第一コア位置決め壁９４との間には、隙間１０４が形成され、第二コイル支持壁８６と他方の第二コア位置決め壁９８との間には、隙間１０６が形成されている。
【００３４】
以上のガイド部８０は、図２に示されるコモンモードチョークコイル６０の形状に合わせて形成されており、コモンモードチョークコイル６０がガイド部８０によって位置決めされた状態では、ガイド部８０の各壁部が、コモンモードチョークコイル６０の各構成部材との関係で次のように配置される。
【００３５】
すなわち、図２に示されるように、中間壁８２は、第一チョークコイル６２及び第二チョークコイル６４の間に配置され、第一チョークコイル６２及び第二チョークコイル６４の軸方向に沿って延びる。
【００３６】
また、第一コイル支持壁８４は、第一チョークコイル６２に対する中間壁８２と反対側に配置され、第一チョークコイル６２の軸方向に沿って延びる。同様に、第二コイル支持壁８６は、第二チョークコイル６４に対する中間壁８２と反対側に配置され、第二チョークコイル６４の軸方向に沿って延びる。
【００３７】
また、一対のコア支持壁８８，９０は、一対の橋絡コア６６，６８が並ぶ方向（Ｘ方向）における一対の橋絡コア６６，６８を挟んだ両側に配置され、それぞれ一対の橋絡コア６６，６８の長さ方向（Ｙ方向）に延びる。
【００３８】
さらに、一対の第一コア位置決め壁９２，９４は、一方の橋絡コア６６に対する長さ方向（Ｙ方向）の両側に配置され、一方の橋絡コア６６の長さ方向両側の端面６６Ａ，６６Ｂとそれぞれ対向する。同様に、一対の第二コア位置決め壁９６，９８は、他方の橋絡コア６８に対する長さ方向（Ｙ方向）の両側に配置され、他方の橋絡コア６８の長さ方向両側の端面６８Ａ，６８Ｂとそれぞれ対向する。
【００３９】
また、以上のようにコモンモードチョークコイル６０がガイド部８０によって位置決めされた状態において、第一巻線７０の一端７０Ａは、第一コイル支持壁８４と一方の第一コア位置決め壁９２との間の隙間１００に挿入され、第一巻線７０の他端７０Ｂは、第一コイル支持壁８４と一方の第二コア位置決め壁９６との間の隙間１０２に挿入される。第一巻線７０の一端７０Ａは、ターミナル１０８及び配線１１０を介して一方のブラシ５０と電気的に接続され、第一巻線７０の他端７０Ｂは、コネクタ端子１１２と電気的に接続される。
【００４０】
同様に、第二巻線７４の一端７４Ａは、第二コイル支持壁８６と他方の第一コア位置決め壁９４との間の隙間１０４に挿入され、第二巻線７４の他端７４Ｂは、第二コイル支持壁８６と他方の第二コア位置決め壁９８との間の隙間１０６に挿入される。第二巻線７４の一端７４Ａは、ターミナル１１４及び配線１１６を介して他方のブラシ５２と電気的に接続され、第二巻線７４の他端７４Ｂは、コネクタ端子１１８と電気的に接続される。一対のコネクタ端子１１２，１１８は、電源と接続される。
【００４１】
次に、本発明の一実施形態の作用及び効果について説明する。
【００４２】
以上詳述したように、本発明の一実施形態に係る回転電機１０によれば、コモンモードチョークコイル６０は、第一チョークコイル６２と、第二チョークコイル６４と、一対の橋絡コア６６，６８によって構成されている。
【００４３】
したがって、第一チョークコイル６２及び第二チョークコイル６４には、従来の一般的なチョークコイルを使用でき、この第一チョークコイル６２及び第二チョークコイル６４に一対の橋絡コア６６，６８を追加するだけでコモンモードチョークコイル６０を構成することができるので、コモンモードチョークコイル６０の部品単価を低減することができる。これにより、コモンモードチョークコイル６０を備える回転電機１０の低コスト化を図ることができる。
【００４４】
また、ブラシホルダ４８には、第一チョークコイル６２、第二チョークコイル６４、及び、一対の橋絡コア６６，６８をそれぞれ位置決めするガイド部８０が形成されている。したがって、第一チョークコイル６２、第二チョークコイル６４、及び、一対の橋絡コア６６，６８が互いに別体とされていても、第一チョークコイル６２、第二チョークコイル６４、及び、一対の橋絡コア６６，６８が離間されること（動いてしまうこと）を抑制することができるので、コモンモードチョークコイル６０の形態を安定して保つことができる。
【００４５】
また、ガイド部８０は、中間壁８２と、第一コイル支持壁８４と、第二コイル支持壁８６と、一対のコア支持壁８８，９０と、一対の第一コア位置決め壁９２，９４と、一対の第二コア位置決め壁９６，９８とを有する。したがって、第一チョークコイル６２、第二チョークコイル６４、及び、一対の橋絡コア６６，６８を簡単な構成で適切に位置決めすることができる。
【００４６】
また、第一巻線７０の一端７０Ａは、第一コイル支持壁８４と一方の第一コア位置決め壁９２との間の隙間１００に挿入され、第一巻線７０の他端７０Ｂは、第一コイル支持壁８４と一方の第二コア位置決め壁９６との間の隙間１０２に挿入されている。同様に、第二巻線７４の一端７４Ａは、第二コイル支持壁８６と他方の第一コア位置決め壁９４との間の隙間１０４に挿入され、第二巻線７４の他端７４Ｂは、第二コイル支持壁８６と他方の第二コア位置決め壁９８との間の隙間１０６に挿入されている。
【００４７】
これにより、第一チョークコイル６２、第二チョークコイル６４、及び、一対の橋絡コア６６，６８を位置決めした状態でも、第一巻線７０の一端７０Ａと一方のブラシ５０との電気的な接続、及び、第二巻線７４の一端７４Ａと他方のブラシ５２との電気的な接続をそれぞれ確保することができる。また、第一巻線７０の他端７０Ｂと一方のコネクタ端子１１２との電気的な接続、及び、第二巻線７４の他端７４Ｂと他方のコネクタ端子１１８との電気的な接続をそれぞれ確保することができる。
【００４８】
次に、本発明の一実施形態の変形例について説明する。
【００４９】
上記実施形態において、コモンモードチョークコイル６０は、回転電機に用いられているが、回転電機以外の機器や装置等に用いられても良い。
【００５０】
また、上記実施形態において、第一コア７２、第二コア７６、及び、一対の橋絡コア６６，６８は、それぞれ長尺直方体で形成されているが、その他の形状で形成されても良い。
【００５１】
また、第一コア７２、第二コア７６、及び、一対の橋絡コア６６，６８がそれぞれ長尺直方体で形成されることにより、コモンモードチョークコイル６０は、平面視にて四角形状に形成されているが、例えば、第一コア７２、第二コア７６、及び、一対の橋絡コア６６，６８がそれぞれ円弧状に形成されることにより、コモンモードチョークコイル６０は、平面視にて円形状に形成されても良い。
【００５２】
また、上記実施形態において、回転電機１０は、一対のブラシ５０，５２を有しているが、三つのブラシを有していても良い。
【００５３】
また、上記実施形態において、ガイド部８０は、中間壁８２と、第一コイル支持壁８４と、第二コイル支持壁８６と、一対のコア支持壁８８，９０と、一対の第一コア位置決め壁９２，９４と、一対の第二コア位置決め壁９６，９８とを有するが、その他の形状の壁を有していても良い。
【００５４】
また、一対の第一コア位置決め壁９２，９４は、一方のコア支持壁８８に一体に形成されているが、一方のコア支持壁８８と別体に形成されていても良い。同様に、一対の第二コア位置決め壁９６，９８は、他方のコア支持壁９０に一体に形成されているが、他方のコア支持壁９０と別体に形成されていても良い。
【００５５】
以上、本発明の一実施形態について説明したが、本発明は、上記に限定されるものでなく、上記以外にも、その主旨を逸脱しない範囲内において種々変形して実施可能であることは勿論である。
【符号の説明】
【００５６】
１０…回転電機、１８…電機子、２０…ブラシ装置、３８…整流子、４８…ブラシホルダ、５０，５２…ブラシ、６０…コモンモードチョークコイル、６２…第一チョークコイル、６４…第二チョークコイル、６６，６８…橋絡コア、７０…第一巻線、７２…第一コア、７４…第二巻線、７６…第二コア、８０…ガイド部、８２…中間壁、８４…第一コイル支持壁、８６…第二コイル支持壁、８８，９０…コア支持壁、９２，９４…第一コア位置決め壁、９６，９８…第二コア位置決め壁、１００，１０２，１０４，１０６…隙間、１０８，１１４…ターミナル、１１０，１１６…配線、１１２，１１８…コネクタ端子
【図１】
2017028788.tif 000003
【図２】
2017028788.tif 000004
【図３】
2017028788.tif 000005
【図４】
2017028788.tif 000006